(57)【特許請求の範囲】
【請求項１】
少なくとも２つのアンテナを備えた装置で使用される、複数の記号から成るあるシーケンスの伝送方法（３００、４００、５００）であって、
フレームは、ある数の連続する複数の記号から構築されており、
前記シーケンスに属するそれらの記号は、前記少なくとも２つのアンテナを用いて伝送されるものであり（４０４、５０２、６０６）、
複数の記号から成る前記シーケンスの伝送は、ある伝送パターンで特徴付けられている（４０１、６０１）、前記伝送方法において、
複数の記号から成る前記シーケンスの伝送は、予め規定されたアンテナから開始され（４０２）、
前記シーケンスの各記号は、１つより多くないアンテナを用いて伝送され、
複数の記号から成る前記シーケンスは、前記伝送パターンに従って前記少なくとも２つのアンテナを交互に切替えることにより伝送され、
部分的な伝送パターンがフレームの終わりに使用されたとき、前記伝送パターンは次のフレームの始まりにおいては冒頭から開始され（４０３、４０５）、
ここで、前記伝送パターンの長さは、フレームの長さよりも短く、
該フレームの長さは、前記伝送パターンの長さの倍数ではなく、
各フレーム中で、
前記伝送パターンに前記フレーム内における反復回数の数を掛け算した長さを前記フレームの長さから引き算した長さであるような、フレームの残りの長さが、伝送パターンの長さより小さくなるまで、前記伝送パターンは反復され（５０２）
その後、前記フレームの残りの長さを持つ前記伝送パターンのある部分だけが前記部分的な伝送パターンとして使用されることを特徴とする方法。
【請求項２】
請求項１記載の方法において、前記伝送パターンの前記部分は、前記伝送パターンの冒頭から選択される（６０９）方法。
【請求項３】
請求項１記載の方法において、前記伝送パターンの長さは、偶数であり、前記フレームの長さは奇数である方法。
【請求項４】
請求項３記載の方法において、複数の記号から成る前記シーケンスは第１のアンテナと第２のアンテナを用いて伝送され、前記伝送パターンは交互に代わるパターンであり、前記伝送パターンの長さは２である方法。
【請求項５】
請求項１記載の方法において、各フレームはある数の連続する複数のタイムスロットから成っており、各タイムスロットはある数の連続する記号から成っており、複数の記号から成る前記シーケンスに属する１つの記号は各タイムスロットにおいて伝送される方法。
【請求項６】
請求項１記載の方法において、各フレームはある数の連続する複数のタイムスロットから成っており、各タイムスロットはある数の連続する記号から成っており、複数の記号から成る前記シーケンスに属する少なくとも１つの記号は、各タイムスロットにおいて伝送される方法。
【請求項７】
請求項１記載の方法において、各フレームはある数の連続する複数のタイムスロットから成っており、各タイムスロットはある数の連続する記号から成っており、少なくとも前記複数のタイムスロットの１つにおいて、複数の記号から成る前記シーケンスに属する少なくとも１つの記号が伝送される方法。
【請求項８】
請求項１記載の方法において、前記伝送パターンの長さは、前記フレームの長さよりも大きい方法。
【請求項９】
請求項１記載の方法において、複数の記号から成る前記シーケンスの伝送は、共通パイロット信号を伝送する第１のアンテナから開始される方法。
【請求項１０】
請求項１記載の方法において、複数の記号から成る前記シーケンスは、セルラーネットワークにおけるダウンリンク方向に伝送される方法。
【請求項１１】
複数の記号から成るシーケンスの伝送をある伝送パターンに従って少なくとも２つのアンテナを交互に切替えることにより且つ少なくとも２つのアンテナを用いて制御する制御手段（７０１）を備え、更に、
前記シーケンスに属する第１の記号を伝送するアンテナを表示する表示手段（７０２）と、
部分的な伝送パターンがフレームの終わりに使用されたときは、前記伝送パターンは次のフレームの始まりにおいては冒頭から開始される開始手段（７０３）と、
を備え、
ここで、前記伝送パターンの長さは、フレームの長さよりも短く、
該フレームの長さは、前記伝送パターンの長さの倍数ではなく、
各フレーム中で、
前記伝送パターンに前記フレーム内における反復回数の数を掛け算した長さを前記フレームの長さから引き算した長さであるような、フレームの残りの長さが、伝送パターンの長さより小さくなるまで、前記伝送パターンは反復され（５０２）
前記フレームの残りの長さを持つ前記伝送パターンのある部分だけが前記部分的な伝送パターンとして使用されることを特徴とする装置（７００）。
【請求項１２】
複数の記号から成るシーケンスの伝送をある伝送パターンに従って少なくとも２つのアンテナを交互に切替えることにより且つ少なくとも２つのアンテナを用いて制御する制御手段（７０１）を備え、更に、
前記シーケンスに属する第１の記号を伝送するアンテナを表示する表示手段（７０２）と、
部分的な伝送パターンがフレームの終わりに使用されたときは、前記伝送パターンは次のフレームの始まりにおいては冒頭から開始される開始手段（７０３）と、
を備え、
ここで、前記伝送パターンの長さは、フレームの長さよりも短く、
該フレームの長さは、前記伝送パターンの長さの倍数ではなく、
各フレーム中で、
前記伝送パターンに前記フレーム内における反復回数の数を掛け算した長さを前記フレームの長さから引き算した長さであるような、フレームの残りの長さが、伝送パターンの長さより小さくなるまで、前記伝送パターンは反復され（５０２）
前記フレームの残りの長さを持つ前記伝送パターンのある部分だけが前記部分的な伝送パターンとして使用されることを特徴とするネットワークエレメント（７１０）。
【請求項１３】
請求項１２記載のネットワークエレメントにおいて、それはスペクトラム拡散システムの無線ネットワークコントローラであるエレメント。
【請求項１４】
請求項１２記載のネットワークエレメントにおいて、更に少なくとも２つのアンテナ（７２１、７２２）を備えるエレメント。
【請求項１５】
請求項１４記載のネットワークエレメントにおいて、それはスペクトラム拡散システムのベースステーションであるエレメント。
【発明の詳細な説明】
【０００１】
（技術分野）
本発明は、一般には、ある記号シーケンス（複数の記号から成るシーケンス、即ち順列）の伝送に関する。特に、本発明は、そのようなシーケンスに属する記号が少なくとも２つのアンテナを用いて送信されるダイバーシティ伝送に関する。
【０００２】
（背景技術及び発明の概要）
セルラーネットワークでは、ダウンリンク無線伝送やアップリンク無線伝送は、特別な同期記号と成り得る、複数の同期チャネルを備える。これらの同期記号で運搬される情報を用いて、例えば、受信機は伝送のタイミングを決定することができる。情報は通常、複数のフレームで送信され、これらのフレームは、ある数のタイムスロットから成る。これらのタイムスロットは、また、ある数の記号から成る。同期記号が使用される場合、それらは、例えば、各タイムスロットについて１回送信され得る。より多くの情報が一度に送信されるように、同期情報を複数のバーストで送信することもできるが、同期情報は、１つのタイムスロットについて１回より少ない頻度でしか送信されない。この同期情報から、タイムスロットタイミングとフレームタイミング、つまり、どこでタイムスロットとフレームが開始したか、の双方を判断することができる。
【０００３】
これらの同期記号は、タイミングの表示以外の他の情報を運搬することもできる。例えば、広帯域ＣＤＭＡ（ＷＣＤＭＡ）セルラーネットワークでは、それらの同期記号は、ベースステーションがダウンリンク伝送を拡散するために用いる拡散コード（spreading code）に関するある情報を運搬する。ハンドオーバでは、例えば、新たなセルに入った移動ステーションは、同期記号の助けによって、ダウンリンク拡散コードの一部を決定することができる。移動ステーションは、共通制御チャネルを介して伝送される制御情報を見付けるために拡散コードを知る必要がある。さもなければ、例えば、その移動ステーションは、始動後も無線アクセスネットワークと通信を行うことができず、また、ハンドオーバ状況では、ハンドオーバを実行するために必要とされるセル特定制御情報を新たなセルから受け取ることができない。
【０００４】
従来、情報は単一のアンテナを用いて無線リンク上で伝送されている。伝送ダイバーシティとは、１つより多くのアンテナを介して情報を送信することを意味する。伝送される情報は、例えば、伝送された記号フローは等しくないが伝送されたそれらの各記号フローからその元の情報フローが決定され得るように符号化され得る。受信機は、例えば、伝送ダイバーシティが使用される場合には特別な復号スキームを選択して、伝送された情報を導き出すことができる。同期記号は幾つかの伝送ダイバーシティスキームの使用に関する情報をも運搬することができる。伝送された同期記号を受信機が正確に判断できることが重要である。さもなければ、例えば、その受信機は、使用された符号化スキームや伝送ダイバーシティの特定に失敗してしまうことがある。
【０００５】
図１は、セルの中央にベースステーションが存在する一般的なＷＣＤＭＡセル１００を表している。また、２つの移動ステーション１０２、１０３も図１には存在し、各移動ステーションとベースステーションとの間の通信は複数の矢印で示されている。このベースステーションは、共通制御情報をセル内の全ての移動ステーションへ放送（同報通信）しており、また、このベースステーションは、この共通制御情報をある拡散コードを用いて拡散している。ＷＣＤＭＡ方式では、１つの拡散コードが２つの部分、即ち、１つの長いスクランブリングコードＣsと１つの短いチャネリゼーションコード（short channelization code）Ｃcとから成る。スクランブリングコードは、例えば、マルチパス（多重路）伝播の影響を除去するのに効果的である。セル内で使用されるそれら複数のチャネリゼーションコードは直交しており、それらは、例えば、各移動ステーションへの伝送を区別するのに効果的である。ＷＣＤＭＡ方式では、ある１つのセル内で、全てのダウンリンク伝送に対して１つの同じスクランブリングコードＣsを使用できる。これらのダウンリンク伝送は同期されるため、複数の異なるチャネリゼーションコードであっても、伝送信号の拡散解除（despreding）を行うには十分である。隣接セルでは、隣接セル同士が他の各伝送を妨げないよう、他のスクランブリングコードが使用される。
【０００６】
ダウンリンク伝送における拡散コードの使用が図１に示されている。ここで、矢印１１は共通制御情報放送（同報通信）を表している。拡散コードは、スクランブリングコードとチャネリゼーションコードの積Ｃcc＝ＣsＣcとして示すことができる。新たなセルに入ったとき、移動ステーションは、ベースステーションが伝送する放送された伝送から、ダウンリンクスクランブリングコードＣsを決定することができる。共通制御情報に関連付けられているチャネリゼーションコードは一般的に、ＷＣＤＭＡ方式を通じて一定であることから、ダウンリンクスクランブリングコードとフレームタイミングを決定した後に、移動ステーションは共通制御情報を決定することができる。
【０００７】
図１の矢印１１２は、移動ステーション１０２へのダウンリンク伝送を表し、矢印１１３は、移動ステーション１０３へのダウンリンク伝送を表す。移動ステーション１０２へのダウンリンク接続についての拡散コードＣD1は、ＣD1＝ＣsＣC1であり、移動ステーション１０３へのダウンリンク接続についての拡散コードＣD2は、ＣD2＝ＣsＣC2である。アップリンク伝送は同期されておらず、各移動ステーションは移動ステーションからベースステーションへそれ自身の無線チャネルを有していることから、各移動ステーションは、ある特定のスクランブリングコードを使用することもできるし、また、例えば、ある１つの移動ステーションに対する様々なチャネルは、様々なチャネリゼーションコードを用いて分離され得る。移動ステーションで終端する接続のためのダウンリンク及びアップリンク拡散コードは、通常、移動ステーションが新たなセルに入ったとき、若しくは、新たな接続が移動ステーションと無線アクセスネットワークとの間に確立されたときのいずれかに確立される。
【０００８】
図２は、ＷＣＤＭＡ方式のベースステーションが一般に伝送する共通制御チャネルの幾つかを示している。パイロット記号は共通パイロットチャネル（ＣＰＩＣＨ）２０１上に伝送される。これらのパイロット記号は通常、１００％のデューティサイクルで送信される。これらのパイロット記号は予め定められており、ＣＰＩＣＨはダウンリンクスクランブリングコードＣsと一定のチャネリゼーションコードを用いて拡散される。
【０００９】
同期チャネル（ＳＣＨ）２０２は、一般に各タイムスロット２１０の冒頭（始まり）において、デューティサイクルの１０％を占有する。ある一定数のタイムスロットを備えるフレーム２１１も図２に示されている。同期チャネルは、２つの同期コード、即ち、第１の同期コード２０３と第２の同期コード２０４を運搬する。これらのコードは、１つの記号ピリオド（周期）内に同時に伝送される。第１の同期コードと第２の同期コードは双方とも、例えば同じ記号を用いて変更され得る。なぜなら、これらのコードは、受信機がこれらのコードを区別することができる良好なクロス相関（crosscorrelation）特性を有しているからである。新たなセルに入った、若しくは、近傍の新たなセルを測定する移動ステーションは常に、ＳＣＨで放送される情報を確実に受け取ることができる。
【００１０】
第１の同期コードは、タイムスロットの開始を示す一定のコードである。第２の同期コードは、同期コードシーケンス若しくはワードを形成するものであり、フレームのタイミングを表示する。フレームタイミングに加えて、あるフレーム内の第２の同期コードシーケンスは、ベースステーションが使用するダウンリンクスクランブリングコードが属するスクランブリングコードグループを表示する。新たなセルに入った移動ステーションは、ダウンリンクスクランブリングコードを、例えば、表示されたスクランブリングコードグループのスクランブリングコードをＣＰＩＣＨ上で試験することによって決定することもできる。正しいスクランブリングコードＣsは、既知のチャネリゼーションコードを用いて、受信した無線信号から既知の伝送パイロット記号を生成するものである。
【００１１】
スクランブリングコードＣsが一旦決定されると、例えば、複素チャネル係数（complex channel coefficient）を決定するために、受信したパイロット信号を使用することができる。一般に、受信した無線信号は伝送されたものと正確には同じでない。この信号は振幅と位相が変化してしまっており、また、これらの変化は時間に依存している。これらは、拡散解除信号（despread signal）が処理されるときに複素チャネル係数ｈを用いて考慮される。チャネル係数についての推定
0003977640.tif 000002
は、受信したパイロット記号を伝送された既知のパイロット記号に対して比較することによって決定され得る。チャネル係数は、パイロット記号と調査した記号とが伝送される時間中一定であると仮定され得る。
【００１２】
共通制御情報は、例えば、第１の共通制御物理チャネル（ＰＣＣＰＣＨ）２０５を用いて伝送される。ＰＣＣＰＣＨは、同期記号が送信されないときに、デューティサイクルの９０％で伝送される。上述したように、それは予め定められたチャネリゼーションコードとダウンリンクスクランブリングコードを用いて拡散される。スクランブリングコードが識別された後に、移動ステーションは、ＣＣＰＣＨ情報をそれが受け取る拡散信号（spread signal）から拡散解除（despread）することもできる。この情報は、例えば、論理放送制御チャネル（ＢＣＣＨ）に関連付けられた情報であってもよい。移動ステーションは、例えば、始動後に無線アクセスネットワークとの通信を開始するため、若しくは、ハンドオーバを確実にするため、ＢＣＣＨ情報を必要とする。
【００１３】
図２は、情報を放送するために１つのアンテナＴＸ１だけしかベースステーションは使用しないといった状況を表している。伝送ダイバーシティが使用されるときは、情報が伝送され得る少なくとも２つのアンテナが存在する。各アンテナについてチャネル係数推定が決定され得るように、各アンテナはそれ自身のパイロット信号を伝送するのが好ましい。２つのトランシーバに対して発せられた無線波は、異なる進路で移動ステーションのアンテナに伝播し得る。
【００１４】
図３は、伝送ダイバーシティと２つのアンテナＴＸ１及びＴＸ２が使用されているときの幾つかの放送チャネルを表している。アンテナＴＸ１は、伝送ダイバーシティが使用されていないときと同じように、共通パイロットチャネルＣＰＩＣＨ２０１を伝送する。アンテナＴＸ２は補助パイロット３０１を伝送する。同期記号は、１つのアンテナしか用いなくても、また、両方のアンテナを用いても伝送され得る。タイムスイッチ型（時間切換型）の伝送ダイバーシティ（ＴＳＴＤ）では、双方のアンテナが複数の記号を一度に１つ伝送するために使用される。図３は、それらの同期記号がＴＳＴＤを用いてどのように伝送されるのか、及び、交互に代わる（交替型の）伝送パターンを示している。例えば、同期記号３０２はアンテナＴＸ１から伝送され、同期記号３０３はアンテナＴＸ２から伝送される。各同期記号は第１の及び第２の同期コードの双方を運搬する。
【００１５】
共通制御情報はまた、アンテナＴＸ１とＴＸ２の双方から伝送され得る。この場合、ＢＣＣＨ情報は、例えば、それがＰＣＣＰＣＨチャネル上で伝送される前に符号化される。スペースタイム伝送ダイバーシティ（space time transmit diversity）(ＳＴＴＤ)は、例えば、第１のアンテナＴＸ１からは、それらの記号が次のように伝送されたこと、つまり、伝送された記号シーケンスがＳ1、Ｓ2、Ｓ3、Ｓ4...であることを、第２のアンテナＴＸ２からは、伝送された記号シーケンスが次のように開始すること、つまり、−Ｓ2*、Ｓ1*、−Ｓ4*、Ｓ3*（ここで、アスタリスクは複素共役を示している）であること、を特定する。図３は、アンテナＴＸ１から伝送されたＰＣＣＰＣＨデータ３０４を示し、アンテナＴＸ２から伝送されたＰＣＣＰＣＨデータ３０５を示す。ＢＣＣＨ情報に関してスペースタイム伝送ダイバーシティを使用することも可能であるが、全ての同期記号を１つのアンテナから伝送する。
【００１６】
ベースステーションは、例えば、ある放送チャネル上である特定のメッセージを伝送し、或いは、複数の同期記号を変調することによって、ダイバーシティスキームと２つのトランシーバの使用を表示することもできる。ある同期記号値はＳＴＴＤがオン状態であることを表示し、他の値はそれがオフ状態であることを表示する。移動ステーションはまた、補助パイロット記号を検出することによって、ダイバーシティスキームの使用を判断することもできる。移動ステーションは、ダイバーシティスキームの３つのインジケータの全てを使用することもできる。
【００１７】
移動ステーションが、同期記号を用いてＳＴＴＤの存在を検出したとき、その同期記号の値は確実に判断される必要がある。ある記号を判断する必要があるときは、チャネル係数の影響を考慮しなければならない。移動ステーションは以下の信号ｒを受信する。
【００１８】
ｒ＝ｈｓSCH＋ｎ
ここで、ｈは複素チャネル係数を表し、ＳSCHは同期記号を表し、ｎはノイズを表す。
【００１９】
受信した信号ｒに、チャネル係数推定の複素共役
0003977640.tif 000003
が掛け算されたとき、つまり、
【００２０】
【数１】
0003977640.tif 000004
のとき、この結果は、スカラー
0003977640.tif 000005
を用いて調整された同期記号及びノイズに関連付けられた項である。ここから同期記号の値を推測することは極めて簡単である。
【００２１】
上では、同期記号は、２つのアンテナを用いて伝送される記号シーケンスの一例として使用されていた。問題は、ＴＳＴＤダイバーシティスキームが使用されているときは、移動ステーションは必ずしも、ある同期記号が、若しくは、タイムスイッチ型のダイバーシティスキームを用いて伝送される他のいずれかの記号が、どのアンテナから伝送されるのかを区別できないことである。例えば、ある記号シーケンスがタイムスロット毎に一回伝送されており、１つのフレームが奇数個のタイムスロットから成っている状況を考えてみる。シーケンスに属する複数の記号がタイムスイッチ型のダイバーシティスキームを用いて伝送される場合、ダイバーシティアンテナは２つ使用され、また、伝送パターンは交互に代わる（交替型の）パターンであり、あるタイムスロットではシーケンスに属する記号は一方のアンテナから他のフレーム毎に伝送され、残りのフレームではもう一方のアンテナから伝送される。故に、移動ステーションは、タイムスイッチ型の伝送スキームを用いているときは、あるタイムスロットで送信される記号にどのチャネル係数推定を使用するのか分からない。
【００２２】
確実な結果を得るには、第１のトランシーバによって伝送される信号は、第１のパイロットから決定されるチャネル係数推定
0003977640.tif 000006
を用いて処理されなければならず、また、第２のトランシーバによって伝送される信号は、補助パイロットから決定されるチャネル係数推定
0003977640.tif 000007
を用いて処理されなければならない。ある記号がどのアンテナから伝送されたのかが分からないことから、どの記号が送信されたかの決定に対して不必要な障害が生じてしまう。同期記号の場合、これにより、例えば受信信号の質を高めるための共通制御情報の伝送ダイバーシティを移動ステーションが利用できないといったことが生じてしまう。この結果、伝送ダイバーシティが使用されているが、受信機がこれに気付かない場合、受信した共通制御信号の質は、伝送ダイバーシティが何ら付与されていない場合よりも劣ってしまうことがある。
【００２３】
本発明の目的は、少なくとも２つのアンテナを用いて記号シーケンスを伝送するための汎用性のある方法を提供することである。本発明の他の目的は、この方法によって、シーケンスに属する記号がどのアンテナから伝送されたのかを明瞭に判断できるようにすることである。
【００２４】
本発明の目的は、フレームの始まりにおいては、記号シーケンスのタイムスイッチ型の伝送ダイバーシティパターンを常に同じアンテナから開始することによって、および、各フレームにおいて同じパターンを使用することによって達成される。
【００２５】
本発明による方法は、複数の記号から成るあるシーケンスの伝送方法であって、フレームは、ある数の連続する複数の記号から構築されており、前記シーケンスに属するそれらの記号は、少なくとも２つのアンテナを用いて伝送されるものであり、複数の記号から成る前記シーケンスの伝送は、ある伝送パターンで特徴付けられている、前記伝送方法において、複数の記号から成る前記シーケンスの伝送は、予め規定されたアンテナから開始され、部分的な伝送パターンがフレームの終わりに使用されたとき、前記伝送パターンは次のフレームの始まりにおいては冒頭から開始される、ことを特徴としている。
【００２６】
本発明による装置は、複数の記号から成るシーケンスの伝送をある伝送パターンに従って且つ少なくとも２つのアンテナを用いて制御する制御手段を備え、更に、前記シーケンスに属する第１の記号を伝送するアンテナを表示する表示手段と、部分的な伝送パターンがフレームの終わりに使用されたときは、前記伝送パターンは次のフレームの始まりにおいては冒頭から開始される開始手段と、を備えることを特徴としている。
【００２７】
本発明によるネットワークエレメントは、複数の記号から成るシーケンスの伝送をある伝送パターンに従って且つ少なくとも２つのアンテナを用いて制御する制御手段を備え、更に、前記シーケンスに属する第１の記号を伝送するアンテナを表示する表示手段と、部分的な伝送パターンがフレームの終わりに使用されたときは、前記伝送パターンは次のフレームの始まりにおいては冒頭から開始される開始手段と、を備えることを特徴としている。
【００２８】
本発明による方法では、記号シーケンスは少なくとも２つのアンテナを用いて伝送される。そのシーケンスに属する複数の記号の伝送は、伝送パターンによって特徴付けられている。ここで、伝送パターンという語は、どのアンテナから記号が伝送されたのかということと、その記号がいつ伝送されたのかということの両方を特定するパターンを表す。このパターンは、例えば、複数のパターン項目のシーケンスから成っていてもよい。これら複数のパターン項目は各々、ある１つの時間間隔に対応する。あるパターン項目は、例えば、あるアンテナを表示する数によって表すこともできる。例えば、あるパターン１、２、０、２、２、０、１（ここで、各数字は１つのタイムスロットに対応する）は、そのシーケンスの第１の記号は第１のアンテナを用いて第１のタイムスロットで伝送されたことを、そのシーケンスの第２の記号は第２のタイムスロットにおいて第２のアンテナを用いて伝送されたことを、第３のタイムスロットではそのシーケンスに属する記号は何ら伝送されていないことを示している。第４のタイムスロットでは、そのシーケンスの第３の記号は第２のアンテナを用いて伝送される等である。
【００２９】
本発明による方法では、そのシーケンスに属する第１の記号を伝送するためのアンテナが予め規定されている。このことは、ある物理アンテナは伝送パターンの第１のアンテナに関連付けられていることを意味する。受信機はしたがって、複数のパイロット信号のいずれが、そのシーケンスの第１の記号として同じアンテナによって伝送されたのかを知り、また、その受信機は、そのシーケンスの第１の記号を処理するにあたり、正しいチャネル係数推定を使用することもできる。例えば、そのシーケンスの第１の記号が共通パイロットを伝送する第１のアンテナを用いて伝送された場合には、共通パイロットから決定されたチャネル係数推定が受信した第１の記号を処理するために使用される。
【００３０】
更に、本発明の方法では、伝送パターンは、各フレームの始まりにおいては、冒頭から開始される。たとえ、受信機が伝送の途中で信号の受信を開始したとしても、その受信機は、各フレームにおいて、そのシーケンスに属する第１の記号は予め規定されたアンテナ、例えば第１のアンテナを用いて伝送されていることを明確に知るのである。
【００３１】
本発明の方法による利点はこのように、受信機は、少なくともあるアンテナ（このアンテナから各フレームにおいてその記号シーケンスに属する第１の記号が伝送される）を知っているということである。従って、それは、少なくともこれらの記号を正しいチャネル係数推定を用いて処理することもできる。これにより、受信した記号が判断される決定プロセスにおける不必要な障害が取り除かれる。本発明による方法が使用されたときは、そのシーケンスの少なくとも幾つかの記号を確実に受け取ることができる。
【００３２】
通常、受信機は伝送パターンを知っており、記号シーケンスを伝送するために２つのアンテナが使用された場合には、どのアンテナから各フレームの第１の記号が伝送されたかといったことに関する情報によって、そのフレームの全ての記号の伝送アンテナが明らかにされる。本発明の他の利点は、２つのダイバーシティアンテナが使用され、受信機が伝送パターンを知っている場合には、受信機は、シーケンスに属する全ての受信記号を正しいチャネル係数推定を用いて処理し、且つ、受信したそれらの記号を確実に判断できるということである。
【００３３】
２つより多くのダイバーシティアンテナが使用される場合にも、本発明による方法を適用することができる。ｎ個のダイバーシティアンテナが使用され、且つ、伝送パターンの少なくともｎ−１個のアンテナが物理アンテナに関連付けられた場合、その伝送パターンを知っている受信機は、シーケンスに属する全ての受信記号を正しいチャネル係数推定を用いて処理し、且つ、それらの確実性（信頼性）を判断することができる。
【００３４】
（発明を実施するための最良の形態）
好ましい実施形態を例として参照しつつ、且つ、添付図面を参照しながら、本発明を以下により詳細に記述する。
【００３５】
上述した従来技術の記述に関連して図１乃至３を参照した。図面の対応部分には同じ参照番号を使用する。
【００３６】
図４は、本発明の第１の実施形態による方法４００のフローチャートを示す。記号シーケンス（複数の記号から成るシーケンス）は、ある特定の伝送パターンを用いて伝送される。そのシーケンスに属する記号にはＳが付いている。ステップ４０１で、ある記号シーケンスの伝送を特徴付ける伝送パターンが定義される。ステップ４０２で、そのシーケンスの第１の記号Ｓを伝送するアンテナが定義される。その後、そのシーケンスに属する複数の記号Ｓの実際の伝送を開始する。
【００３７】
ステップ４０３で、伝送パターンがリセットされ、そのシーケンスの次の記号Ｓは伝送パターンの第１の項目に従って伝送される。ステップ４０４で、そのシーケンスの複数の記号がその伝送パターンにしたがって伝送され、新たなフレームの始まりがステップ４０５で検出されたときは、ステップ４０３で伝送パターンはリセットされ、そのシーケンスの次の記号Ｓが伝送パターンの第１の項目として伝送される。
【００３８】
この伝送パターンは、記号Ｓが送信された時間を特定することから、伝送パターンの長さを時間の単位で測定することができる。伝送パターンの長さは、例えば、タイムスロットで表すことができる。伝送パターンが１つのフレームより長い場合、本発明の第１の好ましい実施形態による方法では、伝送パターンの冒頭におけるある数（フレームの長さに対応する）の項目だけが使用される。その伝送パターンが１つのフレームより短い場合、本発明の第１の好ましい実施形態による方法では、記号Ｓはフレームの第１の部分においてのみ伝送される。
【００３９】
本発明の第１の実施形態による方法では、各フレームで、同じ数の記号Ｓが伝送される。ある１つのフレーム内のこれらの記号Ｓの最初のものは常に、予め定められたアンテナを用いて送信される。実際、連続するフレームのある１つのフレーム内の複数の記号Ｓの各々は、ある１つのアンテナを用いて伝送される。これらの記号Ｓは従って、各フレームにおいて同じように伝送される（例えば、連続する複数のフレームのあるタイムスロットにおいて、それらの記号の値は同じである必要はないが）。
【００４０】
図５は、本発明の第２の好ましい実施形態による方法５００のフローチャートを示す。この方法では、伝送パターンの長さが１つのフレームより短い場合、伝送パターンはある方法で反復される。これにより、そのシーケンスの記号Ｓは全フレームの間中伝送されることが確実にされる。
【００４１】
この方法５００は、本発明の第１の好ましい実施形態による方法４００と同様に始まる。ステップ４０１で、伝送パターンが定義され、ステップ４０２で、そのシーケンスの第１の記号Ｓを伝送するアンテナが定義される。ステップ４０３で、その伝送パターンが冒頭から開始される。
【００４２】
ステップ５０１で、フレームの残りの長さが、完全な伝送パターンよりも長いか、若しくは、それと等しいかチェックされる。もしそうであれば、ステップ５０２で、記号Ｓは完全な伝送パターンを用いて伝送され、その後、フレームの残りの長さが再びチェックされる。この方法では、伝送パターンは、それが完全に反復され得るような回数分だけ１つのフレーム中で反復される。
【００４３】
フレームの終わりが近いとき、つまり、フレームの残りの長さが伝送パターンの長さより小さいとき、ステップ５０３で、記号Ｓは伝送パターンのある部分（一部）だけを用いて伝送される。この部分の長さは、伝送パターンの長さによって分割されたある１つのフレームの残りの長さに等しい。その後、ステップ４０３で、この伝送パターンは冒頭から開始され、ステップ５０２で、記号Ｓは完全な伝送パターンを用いて再び伝送される。前述した伝送パターンのある部分（一部）は、例えば、パターンの冒頭から選択され得る。
【００４４】
本発明の第２の好ましい実施形態によるこの方法の利点は、たとえ、伝送パターンが１つのフレームより短く、１つのフレームの長さが伝送パターンの倍数でない場合であっても、伝送パターンを反復することによってフレームを通じてそのシーケンスの複数の記号Ｓを伝送することができ、各フレームにおいてシーケンスの記号Ｓはダイバーシティアンテナを用いて同様に伝送されることを確実なものとすることができることである。
【００４５】
この方法は、伝送パターンの長さがフレームより長い場合も機能する。この場合は、ステップ５０２は決して開始されず、次のステップ５０３で、伝送パターンのある部分（一部）だけが使用される。
【００４６】
図６は、本発明の第３の好ましい実施形態による伝送方法６００のより詳細なフローチャートを示す。この方法では、シーケンスの第１の記号を伝送するダイバーシティアンテナも特定される（このことは図６には示されていないが）。この方法では、伝送パターンが短い場合、それは方法５００と同じようにフレーム内で反復される。伝送パターンの一部（これは各フレームの終わりに位置づけられる）は、ここでは、伝送パターンの冒頭から選択される。
【００４７】
ステップ６０１で、伝送パターンが定義される。ステップ６０２で、フレームの長さと伝送パターンの長さを判断する。この方法では、伝送パターンの項目を示すためにインデックスｊが使用され、ステップ６０３では、各アンテナについてのアクティブインデックス（能動指標）が伝送パターンから決定される。アクティブインデックスは、ここでは、あるアンテナを用いて記号が伝送されている最中の、それらの伝送パターン項目を意味する。例として、伝送パターンが交互に代わる（交換型の）簡易なパターンであり、２つのダイバーシティアンテナが使用される場合を考えてみる。例えば、各タイムスロットの始まりにおいて、１つの記号Ｓが伝送される場合、それらの伝送パターン項目は１つのタイムスロットに対応する。この伝送パターンは、例えば、２つの数字１と２を用いて表現され得る。ｊの奇数値は一方のアンテナに関してアクティブ（有効）であり、ｊの偶数値は他方のアンテナについてアクティブである。あるパターンのあるタイムスロットにおいて、記号Ｓが何ら伝送されない場合、ｊの各値は、いずれのアンテナについてもアクティブではない。同様に、あるパターンのあるタイムスロットにおいて、双方のアンテナが記号Ｓを伝送している場合、ｊの各値は、双方のアンテナについてアクティブである。インデックスｊは、１〜伝送パターンの長さに及ぶ。この伝送パターンの長さは、例えば、記号で若しくはタイムスロットで表現することもできる。
【００４８】
ステップ６０４で、インデックスｊの値は１に初期化される。同じくステップ６０４で、インデックスｉ（これは、１つのフレームの時間単位（タイムユニット）を意味する）も１に初期化される。インデックスｉは、インデックスｊと同じ時間単位を意味しなければならない。ｎ＞１個の記号Ｓが各タイムスロットで伝送され得る場合、インデックスｉは、例えば、１つのフレーム内のタイムスロットの数の１〜ｎ倍に及ぶこともある。この場合、伝送パターンの長さは、１つのタイムスロットのｎ’番目の部分でも表現される。
【００４９】
ステップ６０５で、ｊの現在の値がアクティブか、つまり、いずれかのダイバーシティアンテナが現在の時間単位において記号Ｓを伝送するために予想されるかチェックされる。もしｊがアクティブであれば、ステップ６０６で、伝送パターンによって特定されたアンテナは記号Ｓを伝送する。伝送後、ステップ６０７で、フレームの終わり、若しくは、パターンの終わりに到達したかどうかチェックされる。ｊがアクティブでない場合、このチェックはステップ６０５の直後に実行される。フレームの終わり、若しくは、パターンの終わりのいずれにも到達していない場合、ステップ６０９で、ｊを１に初期化することにより伝送パターンは再び開始される。現在の時間単位がフレームの中間に存在し、パターンの終わりに到達していない場合、インデックスｊは伝送パターンにおける次の項目を指す。これはステップ６０８で起こり、ｊは１だけ増加される。
【００５０】
インデックスｊがステップ６０８若しくは６０９のいずれかで更新された後、ステップ６１０で、フレームの終わりに到達したかどうか、つまり、インデックスｉがその最大値に到達したかどうかチェックされる。フレームの終わりに到達した場合、ステップ６１２で、インデックスｉは１に初期化される。現在のタイムスロットがフレームの中間にある場合、インデックスｉは、ステップ６１１でそれを１だけ増加させることによって次の時間単位を指す。インデックスｉの値が更新された後、ステップ６０５で、伝送パターンの現在の項目がアクティブかどうかチェックされる。
【００５１】
一例として、その長さが２つのタイムスロットであり、例えば、１つのタイムスロットにおいて同期記号が一度伝送されるような、簡単なパターンを考えてみる。インデックスｊは従って、値１及び２を持つ。更に、このパターンは交互に代わると考える。インデックスｊの値１、２は従って、同期記号を伝送するときに使用するダイバーシティアンテナを直接的に表示し得る。アクティブインデックスという語を用いることにより、このことは、例えば、第１のダイバーシティアンテナについてはインデックス値１はアクティブであり、補助のダイバーシティアンテナについてはインデックス値２がアクティブである、という言い方によって表現することができる。
【００５２】
フレームの長さがｍ個のタイムスロットであり、ｍが奇数の場合、ｉ＜ｍである限り、ステップ６０８、６０９は交互に代わる方法で実行され、同期記号は、２つのダイバーシティアンテナから交互に代わる方法で伝送される。連続する伝送ステップ６０６における対（ｉ,ｊ）は、（１,１）、（２,２）、（３,１）、（４,２）、...（ｍ−２,１）、（ｍ−１,２）である。
【００５３】
インデックスｉがステップ６１１で値ｍに増加されたとき、対（ｉ,ｊ）はステップ６０６における次の時点で、値（ｍ,１）を有する。その後、ステップ６０７におけるチェックでｊは初期化される。なぜなら、ｉ＝ｍはフレームの終わりを示すものだからである。続くステップ６１２で、インデックスｉは初期化され、次の時点で、伝送ステップ６０６が開始され、対（ｉ,ｊ）の値は（１,１）である。新たなフレームが開始されたとき、伝送パターンはこうして再開される。
【００５４】
伝送パターンが、幾つかの理由でフレームよりも長く定義された場合、ステップ６０７、６０９は、この場合も、フレームが開始したときに伝送パターンが再び開始されることに注意する。
【００５５】
図７は、ある記号シーケンスの伝送を制御する際の本発明による方法を使用するネットワークエレメントと装置を示す。同期記号の伝送を制御する装置７００は、伝送パターンに従って記号Ｓの実際の伝送を制御する制御ブロック７０１を備える。それは各記号Ｓに対してダイバーシティアンテナを選択する。伝送パターンは、発生ブロック７０５で発生され、記号Ｓのシーケンスは、装置７００の一部ではない記号ブロック７０４で発生され得る。
【００５６】
装置７００はまた、シーケンスの第１の記号Ｓを伝送するときに使用するアンテナを表示する役割を持った表示ブロック７０２も備えている。それはまた、例えば、フレームの始まりを検出して、伝送パターンの発生をその冒頭から再び開始する開始ブロック７０３も備える。装置７００は、本発明によるいずれの伝送方法をも使用することができる。ブロック７０１〜７０５は、例えば、マイクロコントローラや適当なプログラムコードを用いて実施され得る。
【００５７】
この制御装置は、記号シーケンスを伝送する役割を持った同じネットワークエレメントで実施され得る。図７は、装置７００に加えて２つのアンテナ７２１、７２２を備えるネットワークエレメント７１０を示す。この装置は、記号Ｓの伝送を制御し、実際の伝送はアンテナを用いて実行される。図７に表されたネットワークエレメント７１０は、例えば、ＷＣＤＭＡ方式のベースステーションであってもよい。
【００５８】
記号を伝送するネットワークエレメントではない他のネットワークエレメントにおいて、ある記号シーケンスの伝送を制御することもできる。装置７００は、例えば、ＷＣＤＭＡ方式の無線ネットワークコントローラ（ＲＮＣ）の一部とすることができる。
【００５９】
本発明を図示実施形態を参照して記述してきたが、この記述は限定を加えることを意図したものではない。この記述を参照すれば、当業者には本発明の他の様々な実施形態が明らかであろう。故に、添付クレームは、本発明の真の範囲及び前記との範囲内にある、そのような実施形態のどのような変更をもカバーするものと考えている。
【００６０】
ＷＣＤＭＡ方式は、本発明による方法が適用され得るセルラーネットワークの一例として表されている。本発明による方法の使用をＷＣＤＭＡネットワークに限定するものではない。
【００６１】
フレームやタイムスロットは、ここでは、情報を無線リンク上で伝送するときに使用する階層構造の例として使用されている。これらの構造の名前はシステム毎に変わり得るものであり、本発明による方法は、情報を無線リンク上で階層構造で伝送するいずれのシステムにおいても適用され得る。
【００６２】
本発明による方法は、いずれの記号シーケンスを伝送するためにも使用され得る。本発明は、本発明による方法を用いて伝送される記号の値の型を制限するものではない。このシーケンスは、例えば、ＷＣＤＭＡ方式においては、同期記号として１つの値の記号だけを含むこともできる。このシーケンスはまた、例えば、ある記号が反復される周期的なシーケンスであってもよい。この間隔の長さはパターン長さのいずれの倍数である必要はなく、また、このパターン長さはシーケンス間隔のいずれの倍数である必要もない。
【図面の簡単な説明】
【図１】  ２つの移動ターミナルと通信を行っているＷＣＤＭＡ方式におけるベースステーションの概略図を示す。
【図２】  ＷＣＤＭＡ方式における幾つかの共通放送チャネルの概略図を示す。
【図３】  伝送ダイバーシティが使用されているときのＷＣＤＭＡ方式における幾つかの共通放送チャネルの概略図を示す。
【図４】  本発明の第１の好ましい実施形態による方法のフローチャートを示す。
【図５】  本発明の第２の好ましい実施形態による方法のフローチャートを示す。
【図６】  本発明の第３の好ましい実施形態による方法のフローチャートを示す。
【図７】  本発明による方法を使用するネットワークエレメントと装置の概略図を示す。
【図１】
0003977640.tif 000008
【図２】
0003977640.tif 000009
【図３】
0003977640.tif 000010
【図４】
0003977640.tif 000011
【図５】
0003977640.tif 000012
【図６】
0003977640.tif 000013
【図７】
0003977640.tif 000014